(57)【要約】【課題】本発明は各種音響機器および情報通信機器に使用されるコード付きスピーカに関するものであり、コードの応力集中による断線が課題であった。【解決手段】本発明のスピーカは、コード付きスピーカでコードのガイドをフレーム上に構成したもので、コードが応力を受けた場合でもガイドとして設けた突起が応力を分散するので、コードと半田付け部との境界面への応力集中が避けられることによりコードの断線を防止することができる。【選択図】  図１
2004350174.tif 000002
【特許請求の範囲】
【請求項１】
フレームと、このフレームの外周部に結合された振動板と、この振動板に結合された振動部品と、この振動部品から引き出されたリード線と、このリード線に結合されたコードとからなるコード付きスピーカであって、前記フレームに前記コードのガイドとして突起を設けて構成したスピーカ。
【請求項２】
コードのガイドとして設ける突起の形状を円柱状とした請求項１記載のスピーカ。
【請求項３】
コードのガイドとして設ける突起の形状を角柱状とした請求項１記載のスピーカ。
【請求項４】
コードのガイドとして設ける角柱状突起の形状を三角柱状とした請求項３記載のスピーカ。
【請求項５】
ガイド形状をコードに沿った壁面状とした請求項１記載のスピーカ。
【請求項６】
コードの両側にガイドを構成したことを特徴とする請求項１から請求項５記載のいずれか１つのスピーカ。
【請求項７】
ガイド形状をコードが挿通するトンネル状とした請求項１記載のスピーカ。
【請求項８】
コードのスピーカを結合した反対側にコネクタを附加した請求項１から請求項７記載のいずれか１つのスピーカ。
【発明の詳細な説明】
【０００１】
【発明の属する技術分野】
本発明は各種音響機器および情報通信機器に使用されるスピーカに関するものである。
【０００２】
【従来の技術】
従来のスピーカについて図６により説明する。
【０００３】
図６（ａ）は従来のスピーカのヨーク４の面から見た外観図を示したもの、また図６（ｂ）は側面半断面図を示したものであり、携帯電話用のダイナミックスピーカを示している。
【０００４】
図６（ａ）および（ｂ）に示すように振動部品であるボイスコイル１に振動板２を結合し、この振動板２の周縁部をフレーム３に結合している。そして、このボイスコイル１を駆動させるための電流供給用のコード５を、フレーム３に結合されたターミナル６に半田付け部７により結合し構成している。
【０００５】
なお、この出願の発明に関する先行技術文献情報としては、例えば、特許文献１が知られている。
【０００６】
【特許文献１】
特開２００２−３５４５８５号公報
【０００７】
【発明が解決しようとする課題】
上述のスピーカは、その構成においてコード５に曲げの応力が加わると、コード５の半田付け部７との境界面に応力集中が発生し、そのためコードが断線してスピーカの振動部品であるボイスコイル１への電流供給が停止し、スピーカとしての機能を果たさなくなる。
【０００８】
このようにコード付きスピーカは、そのコード取付け状態においてコードを９０度近くに曲げるようなセット実装が一般的であり、この応力によりコードの断線が発生しスピーカの機能を果たさなくなるという問題を抱えるものであった。
【０００９】
本発明は、上記課題を解決するもので、コードへの応力集中を緩和しコードの断線を発生させない優れたスピーカを提供するものである。
【００１０】
【課題を解決するための手段】
上記課題を解決するために、本発明は以下の構成を有する。
【００１１】
本発明の請求項１から請求項４に記載の発明は、フレームと、このフレームの外周部に結合された振動板と、この振動板に結合された振動部品と、この振動部品から引き出されたリード線と、このリード線に結合されたコードとからなるコード付きスピーカである。
【００１２】
そして、前記フレームに前記コードのガイドとして突起を設けて構成している。
【００１３】
この構成により、コードが応力を受けた場合でもガイドとして設けた突起が応力を分散するので、コードと半田付け部との境界面への応力集中が避けられるので断線を防止することができる。
【００１４】
これにより、コードの断線が防止できる品質的に安定したコード付きスピーカを提供することができる。
【００１５】
本発明の請求項５に記載の発明は、ガイド形状をコードに沿った壁面状で構成したものである。
【００１６】
この構成により、コードに対する応力を線状または面状で受けることができ、さらなる応力集中の低減を図ることができる。
【００１７】
本発明の請求項６に記載の発明は、コードの両側にガイドを構成したものである。
【００１８】
この構成により、コードに対する応力が左右いずれの方向から加わっても応力集中をガイドにより分散することができ、さらなるコードの断線が防止できる品質的に安定したコード付きスピーカを提供することができる。
【００１９】
本発明の請求項７に記載の発明は、ガイド形状をコードが挿通するトンネル状として構成したものである。
【００２０】
この構成により、コードに対する応力が上下左右いずれの方向から加わっても応力集中をガイドにより分散することができ、さらなるコードの断線が防止できるコード付きスピーカを提供することができる。
【００２１】
本発明の請求項８に記載の発明は、コード終端に電子機器と結合するためのコネクタを附加して構成したものである。
【００２２】
この構成により、携帯電話内部へのスピーカのコード終端の固定が、半田付け等に依らず、コネクタ結合の簡易な方法で安定して実施することができるため、コードに対する引張り応力が少なく品質の向上を図ることができる。
【００２３】
【発明の実施の形態】
以下、本発明の実施の形態について図面を用いて説明する。なお、各実施の形態の説明については、実施の形態１と同様のものはその説明を省略しながら説明する。
【００２４】
（実施の形態１）
以下、実施の形態１を用いて、本発明の特に請求項１から請求項４に記載の発明について説明する。
【００２５】
図１は、本発明の一実施形態のスピーカを示したものである。
【００２６】
図１（ａ）は本発明の一実施形態のスピーカのヨーク２４の面から見た外観図を示したもの、また図１（ｂ）は本発明のスピーカの側面半断面図を示したものである。
【００２７】
図１（ａ）および（ｂ）に示すように、振動部品であるボイスコイル２１に振動板２２を結合し、この振動板２２の周縁部をフレーム２３に結合している。そして、このボイスコイル２１を駆動させるための電流供給用のコード２５を、フレーム２３上にガイドとして形成された円柱状突起２８に沿って配置し、さらにフレーム２３に結合されたターミナル２６に半田付け部２７により結合し構成している。
【００２８】
この構成により、コード２５がセット実装時に９０度近く曲げることによる応力を受けた場合でもガイドとして設けた円柱状突起２８が応力を分散するので、コード２５と半田付け部２７との境界面への応力集中が避けられるので断線が防止される。
【００２９】
なお、この円柱状突起２８は必ずしも円柱である必要はなく、三角柱でも、四角・多角柱、またはそのフレーム面より突出する部位を有する場合についてもこの断線防止効果が期待できる。さらに、この構造を強固なものとするために、円柱状突起２８とコード２５とを接着剤により固着しても良い。
【００３０】
この構成により、コードの断線を防止できる品質的に安定したコード付きスピーカを提供することができる。
【００３１】
（実施の形態２）
以下、実施の形態２を用いて、本発明の特に請求項５に記載の発明について説明する。
【００３２】
図２（ａ）は本発明の一実施形態のスピーカのヨーク２４の面から見た外観図を示したもの、また図２（ｂ）は本発明のスピーカの側面半断面図を示したものである。
【００３３】
実施の形態１と異なる点は、コード２５のガイドの形状として壁面状突起２９を構成している点である。
【００３４】
この場合、使用するコード２５の形状にもよるが、コード２５が線状または面状でガイドされて構成している。
【００３５】
この構成により、コード２５と半田付け部２７との境界面への応力集中がさらに分散でき、コードの断線を防止できる品質的に安定したコード付きスピーカを提供することができる。
【００３６】
この場合も、実施の形態１と同様に壁面状突起２９とコード２５とを接着剤により固着しても良い。
【００３７】
（実施の形態３）
以下、実施の形態３を用いて、本発明の特に請求項６に記載の発明について説明する。
【００３８】
図３（ａ）は本発明の一実施形態のスピーカのヨーク２４の面から見た外観図を示したもの、また図３（ｂ）は本発明のスピーカの側面半断面図を示したものである。
【００３９】
実施の形態１と異なる点は、コード２５のガイドの形状として円柱状突起２８，３０のようにコード２５の両側に形成して構成している点である。
【００４０】
この構成により、コード２５に対する応力が左右いずれの方向から加わっても円柱状突起２８，３０がガイドして応力集中を分散することができ、さらなるコードの断線を防止できる品質的に安定したコード付きスピーカを提供することができる。
【００４１】
詳細説明については、前記同様であるため省略する。
【００４２】
（実施の形態４）
以下、実施の形態４を用いて、本発明の特に請求項７に記載の発明について説明する。
【００４３】
図４（ａ）は本発明の一実施形態のスピーカのヨーク２４の面から見た外観図を示したもの、また図４（ｂ）は本発明のスピーカの側面半断面図を示したものである。
【００４４】
実施の形態１と異なる点は、コード２５のガイドの形状としてコード挿通トンネル３１を構成したものである。
【００４５】
この構成により、コード２５に対する応力が上下左右のいずれの方向から加わってもコード挿通トンネル３１がガイドして応力集中を分散させることができ、さらなるコードの断線を防止できる品質的に安定したコード付きスピーカを提供することができる。
【００４６】
詳細説明については、前記同様であるため省略する。
【００４７】
（実施の形態５）
以下、実施の形態５を用いて、本発明の特に請求項８に記載の発明について説明する。
【００４８】
図５（ａ）は本発明の一実施形態のスピーカのヨーク２４の面から見た外観図を示したもの、また図５（ｂ）は本発明のスピーカの側面半断面図を示したものである。
【００４９】
実施の形態１と異なる点は、コード２５の終端に電子機器と結合するためのコネクタ３２を附加して構成したものである。
【００５０】
この構成により、携帯電話内部へのスピーカのコード終端の固定が、半田付け等に依らない簡易な方法で安定して実施することができるため、コードに対する引張り応力が少なくなるため、コード２５のガイドとなる円柱状突起２８，３０の応力分散との相乗効果により断線防止の品質向上を図ることができる。
【００５１】
詳細説明については、前記同様であるため省略する。
【００５２】
【発明の効果】
以上のように、本発明はコード付きスピーカでコードのガイドをフレーム上に構成したものである。
【００５３】
この構成により、コードが応力を受けた場合でもガイドとして設けた突起や挿通トンネルが応力を分散するので、コードと半田付け部との境界面への応力集中が避けられることにより断線を防止することができる。
【００５４】
この構成により、コードの断線を防止できるコード付きスピーカを提供することができる。
【００５５】
よって本発明は、品質的に安定した優れたコード付きスピーカを提供することができ、その工業的価値は非常に大なるものである。
【図面の簡単な説明】
【図１】本発明の一実施の形態におけるスピーカの外観図と側面半断面図
【図２】本発明の一実施の形態におけるスピーカの外観図と側面半断面図
【図３】本発明の一実施の形態におけるスピーカの外観図と側面半断面図
【図４】本発明の一実施の形態におけるスピーカの外観図と側面半断面図
【図５】本発明の一実施の形態におけるスピーカの外観図と側面半断面図
【図６】従来のスピーカの外観図と側面半断面図
【符号の説明】
２１  ボイスコイル
２２  振動板
２３  フレーム
２４  ヨーク
２５  コード
２６  ターミナル
２７  半田付け部
２８  円柱状突起
２９  壁面状突起
３０  円柱状突起
３１  コード挿通トンネル
３２  コネクタ
【図１】
2004350174.tif 000003
【図２】
2004350174.tif 000004
【図３】
2004350174.tif 000005
【図４】
2004350174.tif 000006
【図５】
2004350174.tif 000007
【図６】
2004350174.tif 000008